(57)【要約】【課題】プリンタの状況に応じて通知の表示態様を変更し、ユーザに対して必要な情報を迅速に与えることができるプログラムまたは携帯端末装置を提供する。【解決手段】通信部と、表示部と、コンピュータと、プリンタから送信されるプリンタ情報を前記通信部を介して受信する処理を前記制御部に実行させるオペレーティングシステムを記憶する記憶部と、を備える携帯端末装置の前記コンピュータに、前記プリンタ情報は、前記プリンタの所定の状態変化に関する情報である、という報知条件が満たされているか否かを判断する判断処理と、前記判断処理において前記報知条件が満たされていると判断された場合に、前記プリンタ情報を第１の態様で前記表示部に表示させ、前記判断処理において前記報知条件が満たされていないと判断された場合に、前記プリンタ情報を前記第１の態様とは異なる第２の態様で前記表示部に表示させる表示処理と、を実行させるプログラム。【選択図】図８
2020135200.tif 000002
【特許請求の範囲】
【請求項１】
通信部と、表示部と、コンピュータと、プリンタから送信されるプリンタ情報を前記通信部を介して受信する処理を前記コンピュータに実行させるオペレーティングシステムを記憶する記憶部と、を備える携帯端末装置の前記コンピュータに、
前記プリンタ情報は、前記プリンタの所定の状態変化に関する情報である、という報知条件が満たされているか否かを判断する判断処理と、
前記判断処理において前記報知条件が満たされていると判断された場合に、前記プリンタ情報を第１の態様で前記表示部に表示させ、
前記判断処理において前記報知条件が満たされていないと判断された場合に、前記プリンタ情報を前記第１の態様とは異なる第２の態様で前記表示部に表示させる表示処理と、を実行させるプログラム。
【請求項２】
前記オペレーティングシステムは、前記表示部に報知領域を表示させる処理を前記コンピュータに実行させることが可能であり、
前記第１の態様は、前記報知領域に前記プリンタ情報を表示させる態様である、請求項１に記載のプログラム。
【請求項３】
前記報知領域は、ステータスバー、通知領域、及び通知センターの少なくともいずれか１つを含む、請求項２に記載のプログラム。
【請求項４】
前記プリンタの管理を行う管理画面を前記表示部に表示させる処理を、さらに前記コンピュータに実行させ、
前記第２の態様は、前記管理画面に前記プリンタ情報を表示させる態様である、請求項１から３のいずれか１項に記載のプログラム。
【請求項５】
通信部と、
表示部と、
制御部と
プリンタから送信されるプリンタ情報を前記通信部を介して受信する処理を前記制御部に実行させるオペレーティングシステムを記憶する記憶部と、を備え、
前記制御部は、
プリンタから送信されるプリンタ情報に対して、前記プリンタの所定の状態変化に関する情報である、という報知条件が満たされているか否かを判断する判断処理と、
前記判断処理において前記報知条件が満たされていると判断された場合に、前記プリンタ情報を第１の態様で前記表示部に表示させ、
前記判断処理において前記報知条件が満たされていないと判断された場合に、前記プリンタ情報を前記第１の態様とは異なる第２の態様で前記表示部に表示させる表示処理と、を実行可能である携帯端末装置。
【請求項６】
前記通信部は、前記プリンタと近距離無線通信を介して通信可能であり、
前記プリンタ情報は前記近距離無線通信によって通信される、請求項６に記載の携帯端末装置。
【発明の詳細な説明】
【技術分野】
【０００１】
本発明は画像形成装置に関する。
【背景技術】
【０００２】
従来技術として、発生したエラーの内容に応じて通知方法を変更するプリンタが、知られている（特許文献１）。また、メールの着信通知の鳴動を、受信したメールの重要度に応じて作動または非作動とする携帯端末が知られている（特許文献２）。
【先行技術文献】
【特許文献】
【０００３】
【特許文献１】特開２０１２−１６０８７７号公報
【特許文献２】特開２０１４−１７５６９号公報
【発明の概要】
【発明が解決しようとする課題】
【０００４】
上記のプリンタでは、エラーの具体的内容はユーザに対して通知されない。また、上記携帯端末では、メールの内容はメーラーの表示画面に表示される。そのため、これらの端末及び装置のユーザは、通知を受領しても、通知内容を把握するためにプログラムを逐一起動したり、プリンタを直接操作したりする必要があった。
【０００５】
上記課題に鑑み、本発明の目的は、プリンタの状況に応じて通知の表示態様を変更し、ユーザに対して必要な情報を迅速に与えることができるプログラムまたは携帯端末装置を提供することにある。
【課題を解決するための手段】
【０００６】
上記課題を解決するため、本発明は、通信部と、表示部と、コンピュータと、プリンタから送信されるプリンタ情報を前記通信部を介して受信する処理を前記コンピュータに実行させるオペレーティングシステムを記憶する記憶部と、を備える携帯端末装置の前記コンピュータに、前記プリンタ情報は、前記プリンタの所定の状態変化に関する情報である、という報知条件が満たされているか否かを判断する判断処理と、前記判断処理において前記報知条件が満たされていると判断された場合に、前記プリンタ情報を第１の態様で前記表示部に表示させ、前記判断処理において前記報知条件が満たされていないと判断された場合に、前記プリンタ情報を前記第１の態様とは異なる第２の態様で前記表示部に表示させる表示処理と、を実行させるプログラムを提供する。
【０００７】
また、通信部と、表示部と、制御部とプリンタから送信されるプリンタ情報を前記通信部を介して受信する処理を前記制御部に実行させるオペレーティングシステムを記憶する記憶部と、を備え、前記制御部は、プリンタから送信されるプリンタ情報に対して、前記プリンタの所定の状態変化に関する情報である、という報知条件が満たされているか否かを判断する判断処理と、前記判断処理において前記報知条件が満たされていると判断された場合に、前記プリンタ情報を第１の態様で前記表示部に表示させ、前記判断処理において前記報知条件が満たされていないと判断された場合に、前記プリンタ情報を前記第１の態様とは異なる第２の態様で前記表示部に表示させる表示処理と、を実行可能である携帯端末装置を提供する。
【発明の効果】
【０００８】
上記構成により本発明は、ユーザに対して必要な情報を迅速に与えることができるプログラムまたは装置を提供できる。
【図面の簡単な説明】
【０００９】
【図１】本実施形態における情報処理システムの構成を示す説明図である。
【図２】携帯端末装置の構成を示す説明図である。
【図３】携帯端末装置のＯＳと、各アプリケーション及び構成との関係を示す図である。
【図４】アプリ画面を表示した携帯端末装置の図である。
【図５】アプリ画面を表示した携帯端末装置の図である。
【図６】本実施形態における報知条件の例を示す表である。
【図７】ステータスバーを含むＯＳ画面を表示した携帯端末装置の図である。
【図８】通知領域を含むＯＳ画面を表示した携帯端末装置の図である。
【図９】情報処理システムにおいて実行される通信処理の流れを示す説明図である。
【図１０】本実施形態における通信確立処理を示すフローチャートである。
【図１１】本実施形態における受信処理を示すフローチャートである。
【発明を実施するための形態】
【００１０】
〔システムの構成〕
図１は、本実施形態における情報処理システム１０の構成を示す説明図である。情報処理システム１０は、携帯端末装置１００と、インクジェット方式や電子写真方式等のプリンタ２００とを備える。これらの各装置は、互いに通信可能に接続されている。プリンタ２００は、紙などのシート状の記録媒体（以下、メディアともいう）の切断機構を備えていてもよい。
【００１１】
携帯端末装置１００は、例えばスマートフォンやタブレット型端末装置等の携帯可能な情報処理装置である。携帯端末装置１００は、図２に示すように、ＣＰＵ１１０と、記憶部１２０と、音声出力部１３０と、操作部１４０と、表示部１５０と、通信部１６０とを備え、これらはバス（ＢＵＳ）によって相互に接続される
【００１２】
操作部１４０は、例えば液晶ディスプレイに重ねて設けられたタッチパネルやボタン、スイッチ等により構成され、ユーザによる操作を受け付ける。音声出力部１３０は、例えばスピーカ等により構成され、音声を出力する。表示部１５０は、例えば上記液晶ディスプレイに重ねて設けられたタッチパネル等により構成され、各種の画像や情報を表示する。
【００１３】
通信部１６０は、プリンタ２００などの外部装置と通信して、外部装置との間で情報を送受信する。このような通信部１６０は、例えばＩＥＥＥ８０２．１５等の近距離無線通信規格（ＮＦＣ）に応じた通信方式により、外部機器と通信可能な通信モジュールにより構成できる。具体的な通信方式としては、Ｂｌｕｅｔｏｏｔｈ（登録商標）が挙げられる。本実施形態では、通信部１６０とプリンタ２００との間の通信は、Ｂｌｕｅｔｏｏｔｈにより行われるものとしている。
【００１４】
携帯端末装置１００の記憶部１２０は、例えばＲＯＭやＲＡＭ等により構成され、各種のデータやプログラムを記憶するとともに、データの一時的な記憶領域として利用される。記憶部１２０に記憶されるプログラムとしては、オペレーティングシステム（以下、「ＯＳ」という）やアプリケーションプログラム（以下、「アプリケーション」という）等がある。本実施形態では、記憶部１２０に記憶されるアプリケーションに、プリンタ２００を制御するためのアプリケーション（以下、「プリンタ制御アプリケーションＡＰ」という）が含まれる。
【００１５】
ＣＰＵ１１０は、記憶部１２０から読み出したプログラムを実行することにより、携帯端末装置１００の各部を制御する。具体的には、ＣＰＵ１１０は、ＯＳ及びプリンタ制御アプリケーションＡＰを実行する。ＣＰＵ１１０は、携帯端末装置の制御部またはコンピュータの一例である。
【００１６】
以下においては、ＯＳやアプリケーション等のプログラムを起動し、その機能を実行するＣＰＵ１１０を、単にプログラムで記載する場合が有る。たとえば、処理内容を説明する場合などにおいて、「プリンタ制御アプリケーションＡＰを起動したＣＰＵ１１０は、」という記載を、「プリンタ制御アプリケーションＡＰは、」と記載する場合が有る。
【００１７】
図３に示すように、ＣＰＵ１１０、記憶部１２０、音声出力部１３０、操作部１４０、表示部１５０、及び通信部１６０などの各構成は、ＯＳとの間でデータの受け渡しや取得を行い、ＯＳによって動作を制御される。ＯＳは、これら各構成の管理、プリンタ２００をはじめとする外部装置やネットワークとのデータ通信の制御などを行う。例えば、ＯＳはＣＰＵ１１０を制御し、プリンタ２００から送信される情報を、通信部１６０を介して受信させることができる。またＯＳは、操作部１４０からデータを取得し、そのデータに基づいて表示部１５０に所定の画面を表示させるなどの処理を行う。
【００１８】
プリンタ制御アプリケーションＡＰ等の各アプリケーションは、ＯＳのＡＰＩ（Ａｐｐｌｉｃａｔｉｏｎ  Ｐｒｏｇｒａｍ  Ｉｎｔｅｒｆａｃｅ）を用いることにより、携帯端末装置１００の各プログラム及び各構成との間で、データの受け渡しや取得を行い、各プログラム及び各構成の制御を行うことができる。例えば、プリンタ制御アプリケーションＡＰは、ＯＳのＡＰＩを用いて表示部１５０に所定の画面を表示させる指示を送信したり、通信部１６０や操作部１４０からデータを取得したりする等の処理が実行可能である。また、プリンタ制御アプリケーションＡＰは、ＯＳとの間でデータの受け渡しや取得を行い、ＯＳに対する指示の送信や、ＯＳから取得したデータに基づく処理の実行が可能である。
【００１９】
〔報知の概要〕
通信部１６０とプリンタ２００との間で通信が確立している状態において、プリンタ制御アプリケーションＡＰは、プリンタ２００からデータまたはプリンタ情報を取得し、作業等の指示を送信することができる。携帯端末装置１００上でプリンタ制御アプリケーションＡＰがバックグラウンドで実行されている状態においても、受信された情報は、プリンタ制御アプリケーションＡＰに対して送られ、処理される。なお、本明細書における「プリンタ情報を表示する」という態様は、プリンタ情報そのものを表示させることのみならず、プリンタ情報に対応するテキスト、概略文、アイコン、または図形等を表示させる態様を含むものとする。
【００２０】
プリンタ２００への作業等の指示は、プリンタ制御アプリケーションＡＰがフォアグラウンドで起動された状態で表示される画面（以下、アプリ画面Ａ１とする）を介して行われる（図４）。アプリ画面Ａ１は、プリンタ２００の管理機能を備えた画面である。アプリ画面Ａ１には、複数のアイコンＡ１３及びリンクテキストＡ１４等が表示される。ユーザは、操作部１４０を介してこれらのリンクテキストＡ１４などを操作することにより、プリンタ２００に関する作業ログや作業指示等の各種情報確認、受信または指示などの操作を実行可能である。
【００２１】
アプリ画面Ａ１には、図４に示すように、プリンタ２００に関する情報を示す表示部Ａ１１が表示される。表示部Ａ１１には、プリンタ２００から送信されるプリンタの状態変化に関する情報が、通信部１６０を介して受信されて表示される。また、図５に示すように、アプリ画面Ａ１では、ダイアログＡ１５などを表示させることにより、ユーザから、プリンタ２００に対する印刷指示等の指示操作を受け付けることも可能である。アプリ画面Ａ１は本発明における管理画面に相当する。詳細は後述する。また、表示部１１とは別に、アプリ管理者向けに、図６に示すような、報知条件設定表Ｔが用意されている。報知条件設定表Ｔでは、プリンタ２００に関し、どのような状態をアプリ外報知とするか定義する報知条件を設定するものである。報知条件設定表Ｔの内容は、通常は接続対象であるプリンタ２００の仕様に応じて予めプリセットされているものであり、ユーザはこの内容を設定または変更することはできないようになっている。
【００２２】
アプリ外報知とは、アプリ画面Ａ１以外の手段または方法を使用し、ユーザに対して報知を行うことである。換言すればアプリ外報知とは、プリンタ制御アプリケーションＡＰがフォアグラウンドで表示する画面を用いずに、ユーザに対して報知を行うことである。アプリ外報知を実行する場合、プリンタ制御アプリケーションＡＰから、ＯＳ等の他のプログラムや構成に対して指示を送信し、所定の処理を実行させる。これにより、プリンタ制御アプリケーションＡＰがバックグラウンドで起動している状態であっても、ユーザに対して報知を行うことが可能である。
【００２３】
アプリ外報知における報知手段には様々な手段があるが、プリンタ制御アプリケーションＡＰ以外のプログラムや構成を利用して報知を行うことが考えられる。例として、プリンタ制御アプリケーションＡＰとは異なるアプリケーションをフォアグラウンドで起動した状態とし、画面を表示させて報知する方法が考えられる。また、音声出力部１３０を起動して音声を発生させることや、携帯端末装置１００がバイブレータを備えている場合にこれを用いることも、アプリ外報知の例として挙げられる。
【００２４】
本実施形態においては、アプリ外報知として、ＯＳが実現する機能によりＣＰＵ１１０が表示部１５０に表示させる画面Ｄ１（以下、ＯＳ画面Ｄ１とする）を用いて報知する方法を用いる。詳細には、アプリ外報知処理において、プリンタ制御アプリケーションＡＰは、ＯＳのＡＰＩを利用することにより、記憶部１２０に記憶された情報に対応する内容を、ステータスバーＤ１１および通知領域Ｄ１２に表示させる。なお、図７及び図８に示される画面は、それぞれＯＳ画面Ｄ１の一例である。また、ＯＳ画面Ｄ１は、本発明における報知領域の一例である。
【００２５】
ステータスバーＤ１１は、ＯＳによって実現される機能によりＣＰＵ１１０が表示部１５０の上部に表示させる、起動中のアプリケーションを示すアイコンや、バッテリ残量などの各種情報を表示するための領域である（図７）。通知領域Ｄ１２は、図８に示すように、ＯＳによって実現される機能によりＣＰＵ１１０が表示部１５０に表示させる、アプリケーションに関する情報やその他情報を表示させるための領域である。通知領域Ｄ１２は、Ａｎｄｒｏｉｄ（登録商標）では通知領域、ｉＯＳ（登録商標）では通知センターとも呼ばれ、表示部１５０を起動させたときの初期画面（ロック画面など）に表示されたり、ステータスバーをフリック操作することによって表示されたりする。なお、ＯＳ画面Ｄ１を用いて報知する方法としては、ステータスバーＤ１１および通知領域Ｄ１２を用いる方法に限らず、ポップアップやバナー、モーダルダイアログなど、他の表示方式を用いる方法が採用されても良い。
【００２６】
ステータスバーＤ１１には、プリンタ２００から情報の受信があったことを示すプリンタアイコンＰＩが表示される。また、通知領域Ｄ１２には、情報の具体的内容が図形およびテキスト等を用いて示される。例えば、図８に示すように、クリーニングが終了したことが、通知領域Ｄ１２に表示される。
【００２７】
〔報知条件〕
報知条件の詳細を、図６の報知条件設定表Ｔを用いて説明する。報知条件設定表Ｔの２列目及び３列目には、報知条件と、各報知条件についてアプリ外報知を実行する際に用いる表示テキストとが示されている。報知条件は、アプリ外報知を実行する条件を定義するものであり、処理対象のデータに、プリンタの状態変化に関する情報が含まれるか否か、を基準として設定されている。具体的には、報知条件設定表Ｔの１列目に示すように、報知条件は、作業等の終了を示す状態変化、エラーが発生したことを示す状態変化、及び、保守点検の必要が発生したという状態変化に大別される。
【００２８】
プリンタ２００に状態変化が発生した場合、ユーザは、プリンタ２００に対して何らかの対応を取ることを求められる。そのため、状態変化が発生したことは、ユーザに対して速やかに報知されることが望ましい。報知条件を上記のように定めることにより、プリンタ制御アプリケーションＡＰは、このようなプリンタ２００の状態変化に関する重要な情報を選別し、アプリ外報知を実行する。そのため、重要な情報がユーザに見落とされてしまうことが抑制される。また、重要でない情報を報知することが防止されるため、ユーザを煩わせることがない。
【００２９】
また、報知条件設定表Ｔの３列目に示すように、アプリ外報知において表示される表示テキストはプリンタから取得した情報そのものではなく、ユーザが即時に内容を把握できるように平易化または簡略化されている。そのため、プリンタ２００に関する重要な情報について、ユーザは即時に把握し、迅速な対応を取ることができる。なお、報知条件、および表示テキストは、対応するプリンタの機能に合わせて報知条件設定表Ｔに予め設定されて記憶部１２０に記憶されている
【００３０】
〔処理手順〕
図９から図１１を用いて携帯端末装置１００及びプリンタ２００によって実行される処理を以下に説明する。まず、図９に示すように、携帯端末装置１００による準備的な処理として、プリンタ２００との通信確立処理が実行される（Ｓ１０）。
【００３１】
図１０は、プリンタ２００との通信確立処理において、ＣＰＵ１１０が実行する通信確立処理（Ｓ１０）を示すフローチャートである。通信確立処理は、例えば、操作部１４０を介してプリンタ制御アプリケーションＡＰの起動指示が取得されたことに応じて開始される（Ｓ１０２）。通信確立処理において、携帯端末装置１００のＣＰＵ１１０は、接続可能なプリンタ２００を表示部１５０に表示する（Ｓ１０４）。次に、ユーザは、接続するプリンタを選択する（Ｓ１０６）。これにより、携帯端末装置１００とプリンタ２００との通信が確定する。なお、通信プロトコルは特定の方式に限定されない。通信プロトコルは、例えばＢｌｕｅｔｏｏｔｈであってもよく、またはＵＳＢであってもよい。
【００３２】
プリンタ２００との通信が確立された状態では、プリンタ制御アプリケーションＡＰは、起動されている間は、プリンタ情報を受信可能な状態で待機する。また、プリンタ制御アプリケーションＡＰは、プリンタ２００に対して、携帯端末装置１００からの指示などの各種データをオンデマンドで送信する（Ｓ２０）。一方、プリンタ２００は、プリンタ２００の状態が変化した場合に、その状態変化の詳細内容を示すプリンタ情報を送信する。発信されたプリンタ情報はプリンタ制御アプリケーションＡＰに受信され、受信処理が行われる（Ｓ３０）。受信処理の詳細は後述する。
【００３３】
プリンタ情報には、インク（またはトナー）残量を示す情報、用紙残量を示す情報、エラーの発生を示す情報、または、何らかの作業を実行している場合には、作業内容とその進捗とを示す情報などが含まれ得る。
【００３４】
プリンタ情報を受信後、携帯端末装置１００のＣＰＵ１１０は、プリンタ制御アプリケーションＡＰによって実現される機能により、以下に説明する受信処理（Ｓ３０）を実行する。
【００３５】
図１１は、プリンタ制御アプリケーションＡＰを起動した携帯端末装置１００において、ＣＰＵ１１０が実行する受信処理（Ｓ３０）を示すフローチャートである。受信処理において、ＣＰＵ１１０は、プリンタ情報を参照して、どのように報知するかを判定する。はじめに、携帯端末装置１００のＣＰＵ１１０は、記憶部１２０からプリンタ情報を読み出す（Ｓ３０２）。
【００３６】
ステップＳ３０４において、携帯端末装置１００のＣＰＵ１１０は、プリンタ情報が報知条件を満たすかどうかを判定する。例えば、ＣＰＵ１１０は、報知条件設定表Ｔ（図６）を参照し、プリンタ情報が設定された報知条件のいずれかに合致するかどうかを判断する。報知条件が満たされていると判断した場合には（Ｓ３０４：ＹＥＳ）、ＣＰＵ１１０は、アプリ外報知処理を実行する（Ｓ３０６）。上述のように本実施形態では、アプリ外報知処理において、ステータスバーＤ１１、通知領域Ｄ１２を用いた報知が行われる。例えば、報知条件が「クリーニング終了時」であった場合、報知条件設定表Ｔにおいて設定される表示テキスト「クリーニングが終了しました」が、図８のように通知領域Ｄ１２に表示される。また図７のように、ステータスバーＤ１１には、アイコンＰＩが表示される。
【００３７】
次に、ＣＰＵ１１０は、アプリ画面Ａ１においても、プリンタ情報の表示を行う（Ｓ３０８）。具体的には、ＣＰＵ１１０は、アプリ画面Ａ１内にプリンタ情報の内容を表示させる。例えば、ステップＳ３０４で報知を受けたユーザは、操作部１４０を操作して、アプリ画面Ａ１及び表示部Ａ１１を表示部１５０に表示させることができる。このようにしてユーザは、記憶部１２０に記憶されたプリンタ情報を呼び出し、プリンタ情報の詳細を確認することができる。
【００３８】
報知条件が満たされていないと判断した場合には（Ｓ３０４：ＮＯ）、携帯端末装置１００のＣＰＵ１１０は、アプリ外報知を行わない。その代わりに、ＣＰＵ１１０は、アプリ画面Ａ１内にプリンタ情報の内容を表示させる（Ｓ３１０）。例えば、図４に示すように、クリーニング状況とクリーニング終了までの残り時間が、アプリ画面Ａ１の表示部Ａ１１において表示される。
【００３９】
なお、表示部Ａ１１は表示形式の一例であり、ステップＳ３０４、Ｓ３０８において、表示部Ａ１１を用いない構成を用いることもできる。例えば、アプリ画面Ａ１に表示されるリンクテキストＡ１４等をユーザに操作させることによって、プリンタ情報を呼び出し、その内容をアプリ画面Ａ１に表示させる構成としてもよい。また、アイコンによってプリンタ情報の概略を表示する構成とすることも可能である。
【００４０】
〔本実施形態の効果〕
以上説明した本実施形態では、通信部１６０と、表示部１５０と、ＣＰＵ１１０と、プリンタ２００から送信されるプリンタ情報を通信部１６０を介して受信する処理をＣＰＵ１１０に実行させるオペレーティングシステムを記憶する記憶部１２０と、を備える。プリンタ制御アプリケーションＡＰによって制御されたＣＰＵ１１０は、報知条件が満たされているか否かを判断する判断処理（Ｓ３０４）を実行し、報知条件が満たされていると判断された場合に（Ｓ３０４：ＹＥＳ）、プリンタ情報をアプリ外報知によって表示部１６０に表示させる（Ｓ３０６）。一方、報知条件が満たされていない（Ｓ３０４：ＮＯ）と判断された場合には、プリンタ情報をアプリ画面Ａ１において表示させる（Ｓ３１０）。
【００４１】
上記構成では、プリンタの状況に応じて通知の表示態様を変更するため、ユーザに対して必要な情報を迅速に与え、確認させることができる。特に、プリンタ２００に状態変化が発生した場合、ユーザは、プリンタ２００に対して何らかの対応を取ることを求められる。そのため、状態変化が発生したことは、ユーザに対して速やかに報知されることが好ましい。このようなプリンタの状態変化に関する重要な情報を選別し、態様を変えて報知するため、重要なプリンタ情報がユーザに見落とされてしまうことを抑制することができる。
【００４２】
オペレーティングシステムは、表示部１５０にＯＳ画面Ｄ１を表示させる処理をＣＰＵ１１０に実行させることが可能であり、ＯＳ画面Ｄ１の所定の領域に、報知条件を満たすプリンタ情報は表示される。
【００４３】
上記構成では、プリンタ情報をＯＳの機能を用いて表示させることができる。その結果、重要度の高いプリンタ情報がユーザに見落とされてしまうことを抑制することができる。また、プリンタ制御アプリケーションＡＰがバックグラウンドで起動している状態であっても、ユーザに対して報知することができる。
【００４４】
ＯＳ画面Ｄ１は、ステータスバーＤ１１、通知領域Ｄ１２、及び通知センターの少なくともいずれか１つを含む。
【００４５】
上記構成では、プリンタ情報のうち重要な内容をＯＳ画面Ｄ１において特に目立つ態様で表示できる。そのため、プリンタ制御アプリケーションＡＰがバックグラウンドで起動していても、ユーザにプリンタ情報の存在を気づかせることが可能である。
【００４６】
プリンタ制御アプリケーションＡＰは、プリンタ２００の管理を行うアプリ画面Ａ１を表示部１５０に表示させる処理を、さらにＣＰＵ１１０に実行させることができる。加えてプリンタ制御アプリケーションＡＰは、アプリ画面Ａ１に、報知条件を満たさないプリンタ情報を表示させることができる。
【００４７】
上記構成では、ＯＳ画面Ｄ１で表示されなかったプリンタ情報は、ユーザがアプリ画面Ａ１を立ち上げることによって確認できる。重要度の低い通知をアプリケーションの機能を用いて表示させることにより、ＯＳを介して通知が頻繁になされ、ユーザを煩わせることが防止される。また、携帯端末装置１００の無駄な電力消費が防止される。
【００４８】
〔変形例〕
本明細書で開示される技術は、上述の実施形態に限られるものではなく、その要旨を逸脱しない範囲において種々の形態に変形することができ、例えば次のような変形も可能である。
【００４９】
報知条件設定表Ｔに示す報知条件は、例示である。これらの条件は、プリンタ２００の構成に準じて、任意に追加変更等がなされ得る。
【００５０】
上記実施形態における情報処理システム１０の構成は、あくまで一例であり、種々変形可能である。例えば、上記実施形態において、情報処理システム１０を構成する各装置間の通信は、赤外線通信、ＴｒａｎｓｆｅｒＪｅｔ（登録商標）通信、通常Ｗｉ−Ｆｉ方式、ＷＦＤ方式などを介して行われてもよい。また、有線ＬＡＮを用いても良い。
【００５１】
また、上記実施形態において、携帯端末装置１００は、複数のプリンタ２００を制御することができるとしてもよい。また、携帯端末装置１００は、複数のプリンタ２００からプリンタ情報を取得し、取得した複数のプリンタ情報を記憶部１２０に記憶させる構成としてもよい。
【００５２】
また、上記実施形態では、携帯端末装置１００により制御される対象の装置（デバイス）としてプリンタ２００を例に挙げて説明したが、携帯端末装置１００に制御される装置は、プリンタ２００に限られず、任意の装置であってよい。
【００５３】
また、上記実施形態における各処理の内容は、あくまで一例であり、一部のステップを省略したり、内容を変更したり、他のステップと順番を入れ替えたりしてもよい。
【００５４】
また、上記実施形態において、ハードウェアによって実現されている構成の一部をソフトウェアに置き換えるようにしてもよく、反対に、ソフトウェアによって実現されている構成の一部をハードウェアに置き換えるようにしてもよい。
【符号の説明】
【００５５】
１０  情報処理システム
１００ 携帯端末装置
１１０ ＣＰＵ
１２０ 記憶部
１３０ 音声出力部
１４０ 操作部
１５０ 表示部
１６０ 通信部
１６０ 表示部
２００ プリンタ
Ａ１  アプリ画面
Ａ１１ 表示部
Ａ１３ アイコン
Ａ１４ リンクテキスト
Ａ１５ ダイアログ
ＡＰ  プリンタ制御アプリケーション
【図１】
2020135200.tif 000003
【図２】
2020135200.tif 000004
【図３】
2020135200.tif 000005
【図４】
2020135200.tif 000006
【図５】
2020135200.tif 000007
【図６】
2020135200.tif 000008
【図７】
2020135200.tif 000009
【図８】
2020135200.tif 000010
【図９】
2020135200.tif 000011
【図１０】
2020135200.tif 000012
【図１１】
2020135200.tif 000013